(57)【要約】【課題】ユーザー毎に異なる有効期限を持つパスワードを発行することによるメモリ資源の消費増大を回避しつつ、情報端末装置を持ったユーザーが移動する特定の領域にいる間のみ、当該領域内に設置された画像処理装置の利用を可能とする。【解決手段】プリンタ１０６にパスワード表示部１０８を設け、このパスワード表示部１０８の表示内容（パスワード等）が目視可能な領域をプリンタ１０６の利用可能領域とした。すなわち、例えば、ユーザー登録されている者に限定とか、プリンタ１０６を中心に半径ｒｍとか、明確な境界があるのではなく、具体的には、プリンタ１０６が置かれている部屋Ｒ（図１に示す壁Ｗで仕切られた空間）の中で、表示内容が目視可能であることをもって、当該部屋をプリンタ利用可能領域とすることができる。【選択図】図２
2009032102.tif 000002
【特許請求の範囲】
【請求項１】
少なくとも画像処理の実行を指示する機能を持った情報処理端末と、前記情報処理端末との間で通信可能な複数の画像処理装置と、を備えた画像処理システムであって、
前記情報処理端末が、
前記画像処理の実行の指示に基づいて、特定の画像処理装置に対して画像処理を要求する画像処理要求手段と、
前記画像処理要求手段の要求時に、前記特定の画像処理を用いた画像処理を許可するためのパスワードを入力する入力手段とを有し、
前記画像処理装置がそれぞれ、
定期又は不定期に前記パスワードを発行するパスワード発行手段と、
前記パスワード発行手段によるパスワード発行時期を基準として、パスワード有効期間を設定するパスワード有効期間設定手段と、
前記パスワード発行手段で発行され、更新されていくパスワードを報知するパスワード報知手段と、
前記入力手段で入力されたパスワードが、有効期間内であるか否かを判定する判定手段と、
前記判定手段の判定結果に基づいて、パスワードが認証された場合に画像処理を実行する画像処理実行手段とを有する、
ことを特徴とする画像処理システム。
【請求項２】
前記パスワード報知手段で報知されたパスワードの参照可能な範囲が、前記画像処理装置の利用可能エリアとなることを特徴とする請求項１記載の画像処理システム。
【請求項３】
前記画像処理装置は、前記報知手段によって報知されたパスワードの報知期間を設定するパスワード報知期間設定手段をさらに備え、
前記報知期間とパスワードの有効期間との間には、報知されたパスワードの確認から入力手段による入力までにかかる予測時間に相当するタイムラグが設定されていることを特徴とする請求項１又は請求項２記載の画像処理システム。
【請求項４】
前記パスワード報知手段が、前記パスワード発行手段で発行されたパスワードを視覚を通じて報知する表示装置への表示であることを特徴とする請求項１〜請求項３の何れか１項記載の画像処理システム。
【請求項５】
前記表示装置が、画像処理装置と共に配置され、予め設定した必要な領域内で目視可能な電光掲示板であり、前記パスワードが当該電光掲示板に表示されることを特徴とする請求項４記載の画像処理システム。
【請求項６】
前記パスワード発行手段で発行するパスワードが、前記画像処理を識別するための識別情報を含んで構成されることを特徴とする請求項１〜請求項５の何れか１項記載の画像処理システム。
【発明の詳細な説明】
【技術分野】
【０００１】
本発明は、画像処理システムに関するものである。
【背景技術】
【０００２】
画像処理装置、例えばプリンタの利用を制限する場合、特許文献１には、予め利用するユーザーを登録し、そのユーザー固有のパスワードを認証することで、プリンタの利用の可否を判定する認証システムが開示されている。
【０００３】
また、コンテンツに対して、その印刷出力の可否を判定し、出力可能である場合にパスワードを発行すること、並びに、プリント指示を行ったクライアントが接続されたネットワークを認識し、その送信元アドレスの情報等に基づいてプリンタの利用の可否を判定すること、も知られている。
【０００４】
上記特許文献１を含む背景技術においては、ネットワークを利用した所謂グローバルな認証システムであり、「利用者のプリンタの利用を制限する」、という目的はそれぞれ達成することができる。
【０００５】
一方、ユーザー固有のパスワードを認証するシステムにおいて、パスワードを一度知ってしまえば、いつでもサービスを利用できることを、不都合として挙げることができる。
【０００６】
この不都合に対しては、ユーザー毎に異なる有効期限を持つパスワードを発行することで対応するシステムの例があるが、そのようなシステムの例では、発行したパスワードをそれぞれのユーザーに安全に配布するための追加のセキュリティ手段や、発行したすべてのパスワードを管理するために相当のメモリ資源を用いていた。
【特許文献１】特開２００６−１６４１５７公報
【発明の開示】
【発明が解決しようとする課題】
【０００７】
しかしながら、様々なエリアに移動しながら、それぞれのエリアに近いプリンタを利用したいユーザーを対象として、プリンタ利用の利便性を考慮した概念は存在しない。
【０００８】
本発明は上記事実を考慮し、ユーザー固有のパスワードを管理することによるメモリ資源の消費増大を回避し、かつ、発行したパスワードをそれぞれのユーザーに安全に配布するための追加のセキュリティ手段を設けることなく、情報端末装置を持ったユーザーが移動する特定の領域にいる間のみ、当該領域内に設置された画像処理装置の利用することができる画像処理システムを得ることが目的である。
【課題を解決するための手段】
【０００９】
本発明は、少なくとも画像処理の実行を指示する機能を持った情報処理端末と、前記情報処理端末との間で通信可能な複数の画像処理装置と、を備えた画像処理システムであって、前記情報処理端末が、前記画像処理の実行の指示に基づいて、特定の画像処理装置に対して画像処理を要求する画像処理要求手段と、前記画像処理要求手段の要求時に、前記特定の画像処理を用いた画像処理を許可するためのパスワードを入力する入力手段とを有し、前記画像処理装置がそれぞれ、定期又は不定期に前記パスワードを発行するパスワード発行手段と、前記パスワード発行手段によるパスワード発行時期を基準として、パスワード有効期間を設定するパスワード有効期間設定手段と、前記パスワード発行手段で発行され、更新されていくパスワードを報知するパスワード報知手段と、前記入力手段で入力されたパスワードが、有効期間内であるか否かを判定する判定手段と、前記判定手段の判定結果に基づいて、パスワードが認証された場合に画像処理を実行する画像処理実行手段とを有する、ことを特徴としている。
【００１０】
本発明によれば、パスワードの発行時期を基準として設定されるパスワード有効期間内に入力手段で入力すれば、画像処理への画像処理要求が有効となるため、ユーザー固有のパスワードが不要となる。また、パスワード報知手段で報知される領域内に利用ユーザーが限られるため、画像処理装置が設置されており、ユーザーの入出管理等の制限がなされているオフィス居室等の範囲を限界として、画像処理装置を利用可能な領域を特定することが可能となる。
【００１１】
本発明において、前記パスワード報知手段で報知されたパスワードの参照可能な範囲が、前記画像処理装置の利用可能エリアとなることを特徴としている。
【００１２】
また、上記発明において、前記画像処理装置は、前記報知手段によって報知されたパスワードの報知期間を設定するパスワード報知期間設定手段をさらに備え、
前記報知期間とパスワードの有効期間との間には、報知されたパスワードの確認から入力手段による入力までにかかる予測時間に相当するタイムラグが設定されていることを特徴としている。
【００１３】
さらに、上記発明において、前記パスワード報知手段が、前記パスワード発行手段で発行されたパスワードを視覚を通じて報知する表示装置への表示であることを特徴としている。
【００１４】
また、上記発明において、前記表示装置が、画像処理装置と共に配置され、予め設定した必要な領域内で目視可能な電光掲示板であり、前記パスワードが当該電光掲示板に表示されることを特徴としている。
【００１５】
さらに、上記発明において、前記パスワード発行手段で発行するパスワードが、前記画像処理を識別するための識別情報を含んで構成されることを特徴としている。
【発明の効果】
【００１６】
以上説明した如く本発明では、ユーザー固有のパスワードを管理することによるメモリ資源の消費増大を回避しつつ、情報端末装置を持ったユーザーが移動する特定の領域にいる間のみ、当該領域内に設置された画像処理装置を利用することができるという優れた効果を有する。
【発明を実施するための最良の形態】
【００１７】
図１には、本実施の形態に係る画像処理システム１００が示されている。
【００１８】
情報処理端末としてＰＣ（パーソナルコンピュータ）１０２は、ローカル・エリア・ネットワーク等のネットワーク１０４を介して画像処理装置としてのプリンタ１０６に接続されている。例えば、ＰＣ１０２から画像処理（以下、「印刷ジョブ」という。）の指示を送信することで、プリンタ１０６では、当該ＰＣ１０２から受けた画像処理を実行する、といった遠隔操作による画像処理の実行が可能である。
【００１９】
なお、本実施の形態における画像処理システム１００では、プリンタ１０６へ画像処理を指示する場合に、ＰＣ１０２からパスワードを送信することが必須となっている（詳細後述）。当該パスワードは、プリンタ１０６側によって生成され、パスワード表示部１０８に表示されるようになっている。
【００２０】
すなわち、本実施の形態では、ＰＣ１０２を操作するユーザーが、パスワード表示部１０８に表示されたパスワードを直接（或いは、第三者を介して間接的に）視覚を通じて認識し、その後、ＰＣ１０２へ当該パスワードを入力する手順を経る必要がある。
【００２１】
図２は、上記図１の画像処理システム１００を詳細に説明するため、ＰＣ１０２及びプリンタ１０６のそれぞれを機能別に分類したブロック図である。
【００２２】
（ＰＣ１０２側）
ＰＣ１０２は、情報入力部１１２を備えており、操作部（キーボードやテンキー等）１１３からの操作によって入力される印刷ジョブの処理実行指示、並びにパスワード等の情報入力を受け付ける。なお、この操作部１１３の操作にあたり、ＰＣ１０２では、図示しないモニタ上に図３に示されるような操作画面が表示される。
【００２３】
この図３では、所定の枠Ａ、Ｂにプリンタ名とパスワードの入力が完了した状態を示しているが、ユーザーが、前記枠Ａ、Ｂ内に操作部１１３によってプリンタ名とパスワードを入力し、その後でないと印刷指示ボタンＣが有効とならない。
【００２４】
情報入力部１１２は、画像処理要求部１１０に接続されている。画像処理要求部１１０では、情報入力部１１２から情報を受けると、印刷ジョブ生成部１１４へ、印刷ジョブを生成するように指示する。印刷ジョブ生成部１１４には、印刷データメモリ１１６が接続されて、この印刷データメモリから印刷データを読み出して印刷ジョブを生成する。
【００２５】
印刷ジョブ生成部１１４では、読み出した印刷データを、指定したプリンタ１０６で解釈可能な処理言語（例えば、ＰＤＬ等のページ記述言語や、ビットマップデータ等）にデータ変換することもなされている。
【００２６】
また、画像処理要求部１１０は、パスワード付加部１１１に接続され、入力されたパスワードを送出する。
【００２７】
パスワード付加部１１１は、前記印刷ジョブ生成部１１４に接続されている。このため、印刷ジョブ生成部１１４では、印刷ジョブの一部としてパスワードを付加し、印刷ジョブ送信部１１５へ送出する。
【００２８】
印刷ジョブ送信部１１５は、前記ネットワーク１０４を介して、印刷ジョブをプリンタ１０６の印刷ジョブ受信部１２８へ送出する。
【００２９】
（プリンタ１０６側）
印刷ジョブ受信部１２８は、印刷ジョブ解析部１２９に接続されている。印刷ジョブ解析部１２９は、印刷ジョブから印刷データとパスワードとを抽出する役目を有している。
【００３０】
印刷ジョブ解析部１２９は、印刷実行制御部１３１に接続され、前記抽出された内の印刷データが入力されるようになっている。
【００３１】
この印刷実行制御部１３１では、印刷許可がある（後述するパスワード認証部１３２からの認証信号の入力）まで待機し、印刷許可があった時点で、印刷データを印刷出力部１３３を介して、プリンタ１０６の画像形成部（図示省略）へ送出して、印刷を実行する。
【００３２】
前記印刷ジョブ解析部１２９は、パスワード認証部１３２に接続されている。このパスワード認証部１３２では、前記印刷ジョブ解析部１２９で抽出されたパスワード（ＰＣ１０２から受信したパスワード)と、現在有効なパスワードと、が照合されるようになっている。
【００３３】
このパスワード認証部１３２における照合の結果、受信したパスワードが認証されると、前記印刷実行制御部１３１に認証信号を送出する。
【００３４】
ここで、パスワード認証部１３２は、パスワード発行部１３６で発行されている、現在有効パスワード（通常は１種類〜３種類程度）を読み出し、順次照合するようになっている。すなわち、パスワード発行部１３６には、パスワード生成部１３７で生成したパスワードが入力されるようになっている。
【００３５】
パスワード生成部１３７には、計時部１３４が接続されている。このため、パスワード生成部１３７では、所定時間（例えば、５分）毎に新たなパスワードを生成する。なお、この計時部１３４は、前記パスワード認証部１３２にも接続され、パスワード生成部１３７によるパスワード生成と、パスワード認証部１３２によるパスワード認証との間に同期がとられるようになっている。
【００３６】
ここで、パスワード発行部１３６は、出力制御部１３５を介して、前記パスワード表示部１０８に接続されており、発行されたパスワードが順次切り替えられながら表示されるようになっている。
【００３７】
図４は、パスワード表示部１０８に表示される情報の一例であり、枠Ｄ、Ｅ内にプリンタ名と、パスワードがそれぞれ表示されるようになっている。
【００３８】
パスワードの生成は、例えば、計時部１３４により所定時刻（例えば、印刷ジョブ受信時刻）を与えたとすると、その時刻ｔ１を表した数値列を一方向ハッシュ関数に与え、そのハッシュ値（或いは、その一部）をパスワードとすればよい。
【００３９】
ここで、時刻を表す数値列に対しては、計時部１３４のみが認識する任意の数値を加算しておく。計時部１３４のみが認識する任意の数値と、一方向ハッシュ関数を、パスワード生成処理に導入することにより、外部でのパスワードの予測を困難とすることができる。
【００４０】
この本実施の形態における特徴は、前記パスワード表示部１０８に表示されるパスワードが目視可能な領域を、プリンタ１０６の使用可能領域としたことにある。言い換えれば、パスワード表示部１０８を見ることができる、或いは第三者を介して表示内容を認識することができれば、プリンタ１０６の使用可能領域は一義的に定まるものではない、ということができる。
【００４１】
さらに言及すれば、本実施の形態では、図１に示される如く、壁Ｗで仕切られた１つの部屋Ｒの中がプリンタ使用可能領域であり、この部屋Ｒの中にいる者はパスワード表示部１０８に表示されているパスワードを目視でき、遅れることなく有効期間中にＰＣ１０２へパスワードを入力することが可能である。
【００４２】
反面、この部屋Ｒを出たユーザーは、パスワード表示部１０８に表示されたパスワードを見ることができず、かつ有効期間を過ぎれば無効となるため、部屋Ｒを出てから一定の時間が経過した後は、ＰＣ１０２へ有効なパスワードを入力することが不可能となる。
【００４３】
以下に本実施の形態の作用を図６〜図９のフローチャートに従い説明する。
【００４４】
（パスワード発行表示制御）
図６は、パスワードの発行から表示までの制御フローチャートである。
【００４５】
ステップ１００では、前回発行から５分経過したか否かが判断され、否定判定された場合には、このルーチンは終了する。
【００４６】
また、ステップ１００で肯定判定されると、ステップ１０２へ移行して、新たなパスワードを生成する。このパスワードの生成は、例えば、今回のパスワード発行時刻（ｔ１に相当）を一方向ハッシュ関数の入力値として、ハッシュ値を算出し、この算出されたハッシュ値に基づいてパスワードを生成する。
【００４７】
次のステップ１０４では、ステップ１０２で生成されたパスワードを発行し、次のステップ１０６へ移行する。
【００４８】
ステップ１０６では、現在パスワード表示部１０８に表示されている１回前のパスワードから、今回発行された最新のパスワードに更新して表示する。
【００４９】
これにより、パスワード表示部１０８には、常に最新のパスワードが表示されることになる。パスワード表示部１０８を目視で確認できるユーザーは、ＰＣ１０２に当該表示されているパスワードを入力すればよい。
【００５０】
（ＰＣ１０２側の印刷ジョブ実行指示制御）
次に、図７は、ＰＣ１０２でのパスワード入力を含むプリンタ１０６への印刷ジョブ実行の指示に関する手順を示すフローチャートである。
【００５１】
ステップ１５０では、ユーザーから印刷ジョブの実行指示の有無を判断し、否定判定された場合はこのルーチンは終了する。
【００５２】
また、ステップ１５０で肯定判定されると、ステップ１５２へ移行して印刷指示があったか否かが判断される。
【００５３】
すなわち、図３の枠Ａ、Ｂ内にプリンタ名とパスワードがそれぞれ入力され、印刷指示があったか否かが判断される。なお、枠Ａ、Ｂ内にプリンタ名とパスワードが入力されていなければ、印刷指示が受け付けられない（印刷ボタンＣの無効）。
【００５４】
言い換えれば、パスワード表示部１０８に表示されたパスワードを認識していないユーザーは、当該プリンタ１０６を用いた印刷指示自体ができない。
【００５５】
また、このパスワードは有効期間があるため、入力されたパスワードが有効期間を経過した場合には、プリンタ１０６側で印刷ジョブの実行が拒否される（後述）。
【００５６】
これにより、ユーザーがプリンタ１０６を利用できる領域を、一義的に定めることはできないが、パスワード表示部１０８の表示内容を目視で認識できる範囲とすることができる。なお、当該領域から逸脱した遠隔から、パスワード表示部の表示内容を目視で認識できる範囲にいる第三者を介して表示内容を把握した場合、この遠隔地点は、所謂「孤島」扱いで有効な領域範囲とすることもでき、これは、当該の第三者が許された利用権限を、遠隔地にいるユーザーに委譲していることになる。
【００５７】
ステップ１５２で否定判定されると、ステップ１５４へ移行して印刷ジョブの実行のキャンセルがあったか否かが判断され、否定判定されると、ステップ１５２へ戻る。また、ステップ１５４で肯定判定されると、このルーチンは終了する。
【００５８】
ステップ１５２で肯定判定されると、ステップ１５６へ移行して印刷データを生成し、次いでステップ１５８へ移行して、パスワードを含む印刷ジョブを生成する。
【００５９】
次のステップ１６０では、印刷ジョブデータを送信し、このルーチンは終了する。
【００６０】
（パスワード照合（認証）制御）
図８のステップ２００では、ＰＣ１０２から印刷ジョブデータが送信された否かを判定する。このステップ２００で否定判定されると、このルーチンは終了する。また、ステップ２００で肯定判定されると、ステップ２０２へ移行する。
【００６１】
ステップ２０２では、印刷ジョブデータが受信された時刻を計時部から求め、ｔ２として設定する。
【００６２】
次のステップ２０４では、印刷データ及びパスワードを抽出し、次いでステップ２０６（図９参照、後述）へ移行して、抽出したパスワードと、発行したパスワードとの照合（認証）を行う。
【００６３】
次のステップ２０８では、パスワードが有効か否かが判断され、このステップ２０８で有効と判定された場合は、ステップ２１０へ移行して印刷処理を実行する。また、ステップ２０８で否定判定された場合は、印刷処理をせずにこのルーチンは終了する。
【００６４】
図９は、前記図８のステップ２０６におけるパスワード認証手順の詳細を示している。
【００６５】
時刻ｔ２において有効な全てのパスワードは、ｔ２−Ｎ＋１からｔ２までのそれぞれの数を一方向ハッシュ関数に与え、それぞれのハッシュ値を計算することにより求められる（図５）。ここで数値Ｎは、有効期間を計時部１３４が与える時刻単位で表現したものであり、同時期に有効なパスワードの数である。例えば、５分単位でパスワードが発行され、それぞれ有効期間が１５分であれば、Ｎ＝１５／５＝３となる。
【００６６】
ステップ３０２では、有効なパスワードの個数をＮを前述の計算により求め、ステップ３０３へ移行する。
【００６７】
ステップ３０３、３０４、３０６、３０８では、印刷ジョブデータから抽出したパスワードと、時刻ｔ２において有効なＮ個のパスワードとを順次照合する。
【００６８】
ステップ３０３では、時刻ｔ２−Ｎ＋１において生成されたパスワードを求め、ステップ３０４へ移行する。このパスワードは、時刻ｔ２においても有効なものである。
【００６９】
ステップ３０４では、印刷ジョブデータから抽出したパスワードと、ステップ３０３で求めた有効なパスワードとを順次照合する。
【００７０】
上記ステップ３０３、３０４、３０６、３０８の繰り返し処理中、ステップ３０４で肯定判定されると、ステップ３０７へ移行して印刷ジョブデータから抽出したパスワードが、有効期間内のパスワードであると判定し（有効判定）、処理を終了する。
【００７１】
また、ステップ３０８で肯定判定、個数Ｎ分の照合が終了すると、ステップ３０９へ移行して、無効判定とし、処理を終了する。
【００７２】
以上説明したように本実施の形態では、プリンタ１０６にパスワード表示部１０８を設け、このパスワード表示部１０８の表示内容（パスワード等）が目視可能な領域をプリンタ１０６の利用可能領域とした。すなわち、例えば、ユーザー登録されている者に限定とか、プリンタ１０６を中心に半径ｒｍとか、明確な境界があるのではなく、具体的には、プリンタ１０６が置かれている部屋Ｒ（図１に示す壁Ｗで仕切られた空間）の中であれば、表示内容が目視可能であり、当該部屋をプリンタ利用可能領域とすることができる。
【００７３】
また、パスワードに有効期間を設けたため、パスワード表示部１０８に表示されているパスワードは当該有効期間を過ぎると無効になる。例えば、パスワードを認識したとしても、有効期間内での利用に限定されるため、プリンタ利用可能領域を物理的に比較的狭い範囲に制限することができ、時間的に比較的短い期間に制限することができる。
【００７４】
なお、本実施の形態では、パスワードを、現在時刻を入力パラメータとしたハッシュ値に基づいて生成したが、プリンタ１０６或いはパスワード表示部１０８にメモリ機能を持たせ、例えば、５分間隔のパスワード発行、１５分の有効期間であれば、最大３個のパスワードを記憶し、更新の度に、所謂ＦＩＦＯ（先入れ先出し）の原則に基づき、記憶内容を更新するようにしてもよい。
【００７５】
照合の際は、受信した時点にメモリに記憶されているパスワードのそれぞれと照合するようにすればよい。
【００７６】
また、報知手段として、電光掲示板方式のパスワード表示部１０８を適用したが、プリンタ１０６に既設のインターフェースの表示部を用いてもよいし、例えば、特定の範囲にのみ到達する微弱電波による通信でプリンタ利用領域内のＰＣや携帯電話（ＰＨＳを含む）に送信（無線通信）するようにしてもよい。
【００７７】
さらに、パスワードとプリンタを特定する１つのパスワードにおいて、例えば、上３桁をプリンタ１０６の特定、下４桁を利用許可の判定に用いるようにしてもよい。
【００７８】
さらに、印刷ジョブがプリントサーバーを経由する構成とし、このプリントサーバーにおいてパスワードのチェック（照合）を行うようにしてもよい。これにより、１つの符号の送信で、プリンタの指定とその印刷許可の判定が可能となる。プリンタ１０６自体にパスワードの認証機能が不要であるため、既存のプリンタ１０６の近傍にパスワード表示部１０８を設けるのみで本発明を実行することができる。
【００７９】
パスワード生成部１３７は、パスワードを生成する度に、パスワード発行部１３６を介して、パスワード認証部１３２に対して、そのパスワード値を送信する。このとき、パスワード認証部１３２において、送信されたパスワードを記憶するようにすれば、パスワードの生成方法を一般化することができる。すなわち、パスワード認証部１３２は、パスワード値を受信してから、予め定められた期間をそのパスワードの有効期間とみなせばよいため、パスワード生成部１３７と、パスワード認証部１３２との間で共通の計時部１３４による同期が不要となる。
【００８０】
また、図１では、部屋Ｒを１つのプリンタ利用領域としたが、部屋Ｒに限定されるものではなく、比較的に広い空間の一部をプリンタ利用領域としてもよいし、上記のような無線通信を利用すれば、電波の到達する特定の範囲に含まれる、異なるフロアや異なる部屋でも利用領域とすることができる。
【図面の簡単な説明】
【００８１】
【図１】本実施の形態に係る画像処理システム１００の概略構成図である。
【図２】本実施の形態に係る画像処理システムの主要構成であるＰＣとプリンタにおける機能ブロック図である。
【図３】ＰＣのモニタに表示されるプリンタ名、パスワード入力画面の正面図である。
【図４】パスワード表示部に表示される表示画面の正面図である。
【図５】逐次生成されたパスワードの内、到底の時刻ｔ２において有効であるパスワードが何れであるかを示す図である。
【図６】本実施の形態に係るパスワード発行制御ルーチンを示すフローチャートである。
【図７】ＰＣ側印刷ジョブ実行指示制御ルーチンを示すフローチャートである。
【図８】パスワード照合（認証）制御ルーチンを示すフローチャートである。
【図９】図８のステップ２０６のパスワード認証処理サブルーチンを示す制御フローチャートである。
【符号の説明】
【００８２】
１００    画像処理システム
１０２    ＰＣ（情報処理端末）
１０４    ネットワーク
１０６    プリンタ（画像処理装置）
１０８    パスワード表示部（パスワード報知手段）
１１２    情報入力部
１１３    操作部（入力手段）
１１０    画像処理要求部（画像処理要求手段）
１１４    印刷ジョブ生成部
１１５    印刷ジョブ送信部
１１６    印刷データメモリ
１１１    パスワード付加部
１２８    印刷ジョブ受信部
１２９    印刷ジョブ解析部
１３１    印刷実行制御部（画像処理実行手段）
１３２    パスワード認証部（判定手段）
１３３    印刷出力部
１３６    パスワード発行部（パスワード発行手段）
１３７    パスワード生成部（有効期間設定手段）
１３５    出力制御部
１３４    計時部
Ｗ    壁
Ｒ    部屋
【図１】
2009032102.tif 000003
【図２】
2009032102.tif 000004
【図３】
2009032102.tif 000005
【図４】
2009032102.tif 000006
【図５】
2009032102.tif 000007
【図６】
2009032102.tif 000008
【図７】
2009032102.tif 000009
【図８】
2009032102.tif 000010
【図９】
2009032102.tif 000011